(57)【要約】【課題】ドローアがキャビネット内部に挿入された状態での投入口の開放を通知する衣類処理装置を提供する。【解決手段】本発明は、出入口を備えたキャビネット、出入口を通じてキャビネットから引出し可能なドローア、ドローアの上面に貫設された貫通ホール、ドローアの内部に備えられ、水を収容する空間を提供するタブ、タブの上面に貫設され、貫通ホールの下側に位置する投入口、タブの内部に回転可能に備えられ、投入口に供給される衣類を収容するドラム、ドローア又はタブのいずれか一つに備えられ、投入口を開閉するドア、及びドローアがキャビネットの内部に挿入された状態でドアが投入口を開放したかを判断するドア感知部を含む衣類処理装置に関するものである。【選択図】図１
2019162543.tif 000002
【特許請求の範囲】
【請求項１】
出入口を備えたキャビネットと、
前記出入口を通じて前記キャビネットから引出せるよう構成されたドローアと、
前記ドローアの上面に貫設された貫通ホールと、
前記ドローアの内部に備えられ、幅より短い高さを備えるタブであって、前記タブは、投入口を含むタブカバーを有し、前記投入口は、前記貫通ホールの下側に位置する、タブと、
前記タブの内部に回転可能に備えられ、前記投入口に供給される衣類を収容するドラムと、
前記タブカバーに着脱可能に結合することにより、前記投入口を開閉するよう構成されたドアと、
前記ドローアが前記キャビネットの内部に挿入された状態で、前記ドアが開いているかどうかを判断するよう構成されたドア感知部と、
を含み、
前記ドア感知部は、前記タブカバー上部に位置する前記キャビネットと前記ドアとの接触を通して、前記ドアの開放を感知するために、前記キャビネットに備えられた感知部を更に含む、衣類処理装置。
【請求項２】
前記ドア感知部は、前記キャビネットに備えられ、前記ドアが前記キャビネットに接触する場合、前記感知部の励起を引き起こすよう構成された発生部を含む、請求項１に記載の衣類処理装置。
【請求項３】
前記ドア感知部は、
前記キャビネットの内部に設置され、前記ドアの上部に位置するベースと、
前記ベースに回転可能に備えられるボディーと、
前記ボディーに結合される第１発生部と、
前記ベースに備えられ、前記第１発生部を感知するよう構成された第１感知部と、
を含み、
前記ボディーは、前記ドアが開いていれば、前記第１感知部に向かって回転するよう構成される、請求項１に記載の衣類処理装置。
【請求項４】
前記第１感知部により感知された磁力が既設定の第１基準磁力以上であれば、前記ドアが開いていることを使用者に通知するよう構成された表示部をさらに含む、請求項３に記載の衣類処理装置。
【請求項５】
前記ボディーは、前記ベースに回転可能に結合されるボディー回転軸を含み、
前記第１感知部は、前記ベースに備えられ、前記第１発生部は、前記ボディーが回転する間に前記第１感知部に近づく又は離れることができるように前記ボディー回転軸に結合される、請求項３に記載の衣類処理装置。
【請求項６】
前記ドア感知部は、
前記キャビネットの内部に設置され、前記ドアの上部に位置するベースと、
前記ベースに回転可能に備えられるボディーと、
前記ボディーに結合される第１発生部と、
前記ベースに備えられ、前記第１発生部を感知するよう構成された第１感知部と、
を含み、
前記ボディーは、前記ドアが開いていれば、前記第１感知部から離れる方向に回転するよう構成される、請求項１に記載の衣類処理装置。
【請求項７】
前記ボディーは、前記ベース内に収容されるよう構成され、
前記第１発生部は、前記ボディーの内部に備えられ、
前記ボディーは、前記ドアが前記投入口を開放するとき、前記第１発生部が前記第１感知部から離れるように回転する、請求項６に記載の衣類処理装置。
【請求項８】
前記ボディーは、前記ボディーに備えられ、前記ドアが前記投入口を開放するとき、前記ドアと接触するよう構成されたボディー接触部をさらに含む、請求項７に記載の衣類処理装置。
【請求項９】
前記ベースは、前記ベースに備えられ、前記ボディーが前記ドアの方向に回転することを防止するよう構成されたボディー支持部をさらに含む、請求項８に記載の衣類処理装置。
【請求項１０】
前記ボディーは、前記ボディーから伸びて、前記ボディー支持部上に置かれる突出部をさらに含む、請求項９に記載の衣類処理装置。
【請求項１１】
前記ボディーは、前記第１発生部が前記ドアの方向に備えられるよう、前記ベースから露出し、
前記ボディーは、前記ドアが前記投入口を開放するとき、前記第１発生部が前記第１感知部に近づくように回転する、請求項３に記載の衣類処理装置。
【請求項１２】
前記ボディーに備えられ、前記ドアが開いていれば、前記ドアに接触するよう構成されたボディー接触部をさらに含む、請求項１１に記載の衣類処理装置。
【請求項１３】
前記ドローアが前記キャビネットの内部に既設定の基準位置まで挿入されたかどうかを判断するよう構成されたドローア感知部をさらに含む、請求項１に記載の衣類処理装置。
【請求項１４】
前記ドローアは、前記キャビネットの内部に備えられ、前記タブを収容する空間を提供するドローアボディー、及び前記キャビネットの前記出入口を開閉するよう構成されたドローアパネルを含み、
前記ドローア感知部は、前記出入口が前記ドローアパネルにより閉じられたかどうかを判断するよう構成される、請求項１３に記載の衣類処理装置。
【請求項１５】
前記ドローア感知部は、
前記キャビネット又は前記ドローアのいずれか一方に備えられ、磁力を発生させるよう構成された第２発生部と、
前記キャビネット又は前記ドローアの他方に備えられ、前記第２発生部により生成される磁力を感知するよう構成された第２感知部と、を含む、請求項１３に記載の衣類処理装置。
【請求項１６】
前記第２感知部により感知された磁力が既設定の第２基準磁力未満であれば、前記出入口が開いている状態であることを使用者に通知するよう構成された表示部をさらに含む、請求項１５に記載の衣類処理装置。
【請求項１７】
前記第１感知部により感知された磁力が既設定の第１基準磁力以下であれば、前記ドアが開いていることを使用者に通知するよう構成された表示部をさらに含む、請求項６に記載の衣類処理装置。
【請求項１８】
前記表示部は、文字又は記号を表示するか、音を発生させるかあるいは光を発散するよう構成される、請求項４、１６又は１７のいずれか一項に記載の衣類処理装置。
【請求項１９】
前記表示部は、ＬＣＤ、スピーカー又はランプを含む、請求項１８に記載の衣類処理装置。
【発明の詳細な説明】
【技術分野】
【０００１】
本発明は衣類処理装置に関するものである。
【背景技術】
【０００２】
一般に、衣類処理装置は衣類（洗濯対象物、乾燥対象物）を洗濯する装置、衣類を乾燥する装置、衣類の洗濯及び乾燥を一緒に遂行することができる装置を含む概念である。
【０００３】
従来の衣類処理装置は、装置の前面に備えられた投入口を通じて衣類を装置に投入するフロントローディング方式と、装置の上面に備えられた投入口を通じて衣類を装置に投入するトップローディング方式に区分された。
【０００４】
トップローディング方式の従来の衣類処理装置は、キャビネット、上面に投入口が備えられ、キャビネットの内部に備えられるタブ、タブの内部に回転可能に備えられたドラム、及び投入口を開閉するドアを含むように構成されることができた。
【発明の概要】
【発明が解決しようとする課題】
【０００５】
本発明は、ドローアがキャビネットの内部に挿入された状態でドアが投入口を開放する場合、これを使用者に通知することができる衣類処理装置を提供することを解決しようとする課題とする。
【０００６】
また、本発明は、ドローアがキャビネットの内部に挿入された状態でドアが投入口を開放しても、ドローアがキャビネットから引き出されることができる衣類処理装置を提供することを解決しようとする課題とする。
【０００７】
また、本発明は、ドローアがキャビネットに挿入された状態であるかを判断し、これを使用者に通知することができる衣類処理装置を提供することを解決しようとする課題とする。
【０００８】
また、本発明は、振動などの外部信号などによってドアが開放したと判断することを事前に防止する衣類処理装置を提供することを解決しようとする課題とする。
【０００９】
また、本発明は、ドアが投入口を開放したかを磁力によって正確に感知することができる衣類処理装置を提供することを解決しようとする課題とする。
また、本発明は、ドアが投入口を開放するかを判断する構成部品に異常が発生したかを把握することができる衣類処理装置を提供することを解決しようとする課題とする。
【課題を解決するための手段】
【００１０】
その他の利点、目的、特徴は一部が以下の詳細な説明に開示され、一部が以下の説明から当業者に明らかになるか実施によって分かるであろう。前記目的及び他の利点は明細書及び請求項だけではなく図面に具体的に開示した構造から実現及び達成することができる。
【００１１】
本発明は、出入口を備えたキャビネット、前記出入口を通じて前記キャビネットから引出し可能なドローア、前記ドローアの上面に貫設された貫通ホール、前記ドローアの内部に備えられ、水を収容する空間を提供するタブ、前記タブの上面に貫設され、前記貫通ホールの下側に位置する投入口、前記タブの内部に回転可能に備えられ、前記投入口に供給される衣類を収容するドラム、前記ドローア又は前記タブのいずれか一つに備えられ、前記投入口を開閉するドア、及び前記ドローアが前記キャビネットの内部に挿入された状態で前記ドアが前記投入口を開放したかを判断するドア感知部を含む衣類処理装置を提供する。
【００１２】
前記ドア感知部は、前記キャビネットと前記ドアのいずれか一方に備えられ、磁力を発生させる第１磁力発生部、及び前記キャビネットと前記ドアの他方に備えられ、前記第１磁力発生部が提供する磁力を感知する第１磁力感知部を含むことができる。
【００１３】
前記ドア感知部は、前記キャビネットの内部に固定され、前記ドアの上部に位置するベース、前記ベースに備えられ、磁力を感知する第１磁力感知部、前記ベースに回転可能に備えられ、前記ドアが前記投入口を開放すれば、前記第１磁力感知部に向かって回転するボディー、及び前記ボディーに固定される第１磁力発生部を含むことができる。
【００１４】
本発明は、前記第１磁力感知部が感知した磁力が既設定の第１基準磁力以上であれば、前記ドアが前記投入口を開放したことを使用者に通知する表示部をさらに含むことができる。
【００１５】
本発明は、前記第１磁力感知部が測定した磁力が既設定の第１基準磁力以上である状態が既設定の基準時間以上に持続すれば、前記ドアが前記投入口を開放したことを使用者に通知する表示部をさらに含むことができる。
【００１６】
前記ドア感知部は、前記キャビネットの内部に固定され、前記ドアの上部に位置するベース、前記ベースに備えられ、磁力を感知する第１磁力感知部、前記ベースに回転可能に備えられ、前記ドアが前記投入口を開放すれば、前記第１磁力感知部から遠くなる方向に回転するボディー、及び前記ボディーに固定される第１磁力発生部を含むことができる。
【００１７】
本発明は、前記第１磁力感知部が感知した磁力が既設定の第１基準磁力未満であれば、前記ドアが前記投入口を開放したことを使用者に通知する表示部をさらに含むことができる。
【００１８】
本発明は、前記第１磁力感知部が感知した磁力が既設定の第１基準磁力未満である状態が既設定の基準時間以上に持続すれば、前記ドアが前記投入口を開放したことを使用者に通知する表示部をさらに含むことができる。
【００１９】
前記表示部は、文字又は記号を表示する装置、音を発生させる装置、及び光を発散する装置の少なくとも一つでなることができる。
【００２０】
本発明は、前記ベースに備えられ、前記ボディーが前記ドアに向かって回転することを防止するボディー支持部をさらに含むことができる。
【００２１】
本発明は、前記ドアが前記投入口を開放すれば前記ドアに接触するように前記ボディーに備えられる接触部をさらに含むことができる。
【００２２】
本発明は、前記ドローアが前記キャビネットの内部に挿入されて既設定の基準位置に到逹したかを判断するドローア感知部をさらに含むことができる。
【００２３】
前記ドローアは、前記キャビネットの内部に備えられ、前記タブを収容する空間を提供するドローアボディー、及び前記出入口を開閉するように備えられ、前記ドローアボディーを前記キャビネットから引き出すドローアパネルを含み、前記ドローア感知部は、前記ドローアパネルが前記出入口を閉鎖したかを判断するように構成されることができる。
【００２４】
前記ドローア感知部は、前記キャビネットと前記ドローアのいずれか一方に備えられ、磁力を発生させる第２磁力発生部、及び前記キャビネットと前記ドローアの他方に備えられ、前記第２磁力発生部が提供する磁力を感知する第２磁力感知部を含むことができる。
【００２５】
本発明は、前記第２磁力感知部が測定した磁力が既設定の第２基準磁力未満であれば、前記出入口が開放した状態であることを使用者に通知する表示部をさらに含むことができる。
【００２６】
前記のような一般的な説明及び以降の詳細な説明は例示及び説明のためのもので、請求範囲で主張するような本発明の更なる説明を提供しようとするものであることが理解可能である。
【発明の効果】
【００２７】
前記説明から明らかなように、本発明は、ドローアがキャビネットの内部に挿入された状態でドアが投入口を開放する場合、これを使用者に通知することができる衣類処理装置を提供する効果を図ることができる。
【００２８】
また、本発明は、ドローアがキャビネットの内部に挿入された状態でドアが投入口を開放してもドローアがキャビネットから引き出されることができる衣類処理装置を提供する効果を図ることができる。
【００２９】
また、本発明は、ドローアがキャビネットに挿入された状態であるかを判断し、これを使用者に通知することができる衣類処理装置を提供することができる。
【００３０】
また、本発明は、ドローアがキャビネットに挿入されたときにドアが開放される場合、これを即時感知することができる衣類処理装置を提供することができる。
【００３１】
また、本発明は、ドアが開放されることを感知する部品に異常が発生する場合、これを感知することができる衣類処理装置を提供することができる。
【００３２】
また、本発明は、ドアが開放されなかったにもかかわらずドアが開放したと感知する可能性を排除することができる衣類処理装置を提供することができる。
【図面の簡単な説明】
【００３３】
【図１】衣類処理装置の一例を示す図である。
【図２】衣類処理装置の一例を示す図である。
【図３】ドローア、タブ及びドラムの結合構造を示す図である。
【図４】ドア感知部及びドローア感知部の一例を示す図である。
【図５】ドア感知部及びドローア感知部の一例を示す図である。
【図６】ドア感知部及びドローア感知部の一例を示す図である。
【発明を実施するための形態】
【００３４】
図１及び図２に示したように、本発明の衣類処理装置１００は、キャビネット２、キャビネットから引出し可能に備えられるドローア３、ドローアの内部に備えられ、水を収容するタブ４、及びタブの内部に回転可能に備えられ、衣類を収容するドラム５を含むことができる。
【００３５】
キャビネット２は衣類処理装置の外観をなす手段であってもよく、単にドローア３を収容するための空間であってもよい。いずれの場合にも、キャビネット２の前面にはドローア３が挿入される出入口２１が備えられることが好ましい。
【００３６】
出入口２１は、キャビネット２の一面に備えられる開放面２１１、開放面２１１の縁部に沿って備えられるフランジ２１３を含むことができる。
【００３７】
ドローア３は、出入口２１を通じてキャビネット２の内部に挿入されるドローアボディー３１、ドローアボディー３１の前面に固定され、開放面２１１を開閉するドローアパネル３３、及びドローアボディー３１の上面をなすドローアカバー３５を含む。
【００３８】
ドローアパネル３３はドローアボディー３１の前面に固定されるから、ドローアボディー３１をキャビネット２から引き出すハンドルの役目もすることができる。
【００３９】
ドローアパネル３３が開放面２１１を閉鎖する位置まで移動すれば、ドローアパネル３３はフランジ２１３に接触するであろう。よって、フランジ２１３はドローアボディー３１をキャビネットの内部に設定された基準位置に位置させる手段であるだけでなくドローアパネル３３がキャビネット２に挿入されることを防止する手段でもある。
【００４０】
ドローアパネル３３には、衣類処理装置１００の作動に関連した制御命令を入力するとともに衣類処理装置の作動に関連したメッセージを使用者に表示するコントロールパネル３３１が備えられることができる。コントロールパネル３３１には、制御命令が入力される入力部３３１ａ、及び制御命令を含めた衣類処理装置の作動に関連した信号を表示する表示部３３１ｂが備えられることができる。表示部３３１ｂは、文字又は記号を表示する装置（ＬＣＤなど）、音を発生させる装置（スピーカーなど）及び光を発散する装置（ランプなど）の中で少なくともどの一つを含むことができる。
【００４１】
ドローアボディー３１は、開放面２１１を通じてキャビネット２に挿入されることができるとともにタブ４を収容する空間を提供することができる限り、どんな形状にも形成されることができるが、図１は六面体状のドローアボディー３１を一例として示すものである。
【００４２】
ドローアカバー３５には、ドローアボディー３１の内部を外部と連通させる第１貫通ホール３５１及び第２貫通ホール３５３が備えられる。第１貫通ホール３５１は衣類の出入のために備えられ、第２貫通ホール３５３は衣類の洗濯に必要な水を供給するために備えられるもので、その詳細な説明は後述する。
【００４３】
図２に示したように、タブ４は、ドローアボディー３１の内部に位置し、水を収容するタブボディー４１、及びタブボディー４１の上面をなすタブカバー４３を含む。タブボディー４１は上面が開放した円筒状に形成されることができる。
【００４４】
タブカバー４３は、タブボディー４１の内部をタブボディーの外部と連通させる投入口４３１、及びタブボディー４１の内部に水を流入させる供給口４３３を含むことができる。
【００４５】
投入口４３１はドローアカバーに備えられた第１貫通ホール３５１の下側に備えられなければならなく、供給口４３３はドローアカバーの第２貫通ホール３５３に連通するように構成されることが好ましい。
【００４６】
投入口４３１はタブボディー４１の内部に衣類を供給するかあるいはタブボディー４１内部の衣類をタブボディーの外部に引き出すための手段である。投入口４３１はドローアカバー５３又はタブカバー４３のいずれか一つに回転可能に備えられるドア４５によって開閉される。
【００４７】
図３はドア４５がタブカバー４３に結合された場合を示すものである。この場合、ドア４５は、ヒンジ４５３を介してタブカバー４３に回転可能に結合されるフレーム４５１、フレームに備えられるウィンドウ４５５、及びフレーム４５１をタブカバー４３に着脱可能に結合させるハンドル４５７を含むことができる。
【００４８】
ドローア３がキャビネット２から引き出された場合、使用者がタブボディー４１の内部を確認することができるように、ウィンドウ４５５は透明素材でなることが好ましい。
【００４９】
図４（ａ）及び図４（ｂ）に示したように、ハンドル４５７はハンドル軸４５７ｂを介してフレーム４５１に回転可能に結合され、ハンドル４５７は固定部４７を介してタブカバー４３に着脱可能に固定される。
【００５０】
固定部４７は、ハンドル４５７とタブカバー４３のいずれか一方に突設される第１締結部（例えば、フック）４７１、及びハンドル４５７とタブカバー４３の他方に備えられ、第１締結部４７１が着脱可能に収容される第２締結部（例えば、フック収容溝）４７３を含むことができる。
【００５１】
タブボディー４１はタブ支持部６を介してドローアボディー３１に結合されることができる。タブ支持部６は、ドローアボディー３１に備えられる第１支持部６１、タブボディー４１に備えられる第２支持部６３、及び第１支持部と第２支持部を連結する連結部６５を含むことができる。
【００５２】
タブ４の内部に備えられるドラム５は図２に示した形態に構成されることもできる。すなわち、ドラム５は上部に開放面（ドラム開放面）５３が備えられた円筒状のドラムボディー５１でなることができる。
【００５３】
ドラム開放面５３は投入口４３１の下側に位置するので、投入口４３１を通じて供給される衣類はドラム開放面５３を通じてドラムボディー５１に供給されるであろう。一方、ドラムボディー５１の底面５７と円周面５５には、ドラムボディー５１の内部をタブボディー４１と連通させる多数のドラム貫通ホール５９が備えられることができる。
【００５４】
ドラムボディー５１は駆動部によってタブボディー４１の内部で回転する。駆動部は、タブボディー４１の外部に位置するとともにタブボディーの底面に固定されるステーターＭ１、ステーターが提供する回転磁界（ｒｏｔａｔｉｎｇ  ｆｉｅｌｄ）によって回転するローターＭ２、及びタブボディー４１の底面を貫くように備えられ、ドラムの底面５７とローターＭ３を連結する回転軸Ｍ３を含むことができる。この場合、回転軸Ｍ３はタブボディー４１の底面に対して直角をなすように構成されることができる。
【００５５】
上述した構造を有する衣類処理装置１００は、給水部７を介してタブ４に水を供給し、排水部８を介してタブ４に収容された水をキャビネット２の外部へ排出する。
【００５６】
給水部７は、タブカバーに備えられた供給口４３３に連結された第１給水管７１、キャビネットの外部に位置する給水源に連結された第２給水管７３、及びタブカバー４３に固定され、第１給水管と第２給水管を連結する連結管７５を含むことができる。
【００５７】
第１給水管７１はドローアカバー３５に備えられた第２貫通ホール３５３を介して供給口４３３と連結管７５を連結し、タブ４の振動時に第１給水管７１が連結管７５から分離されることを防止するために波形管でなることができる。
【００５８】
また、ドローア３がキャビネット２から引き出されるとき、第２給水管７３が連結管７５から分離されることを防止するために、第２給水管７３も波形管でなることができる。第２給水管７３は制御部によって制御される給水バルブ７７によって開閉される。
【００５９】
他の実施例において、給水部７はキャビネットの外部に位置する給水源とタブカバーに備えられた供給口４３３を連結する単一給水管でなることができる。この場合、給水管は波形管でなることが好ましい。
【００６０】
排水部８は、ドローアボディー３１に固定される排水ポンプ８１、タブボディー４１の内部の水を排水ポンプ８１に案内する第１配水管８３、及び排水ポンプ８１から排出される水をキャビネット２の外部に案内する第２配水管８５を含むことができる。この場合、第２配水管８５は波形管でなることができる。
【００６１】
上述した本発明の衣類処理装置１００は、ドローア３がキャビネット２の内部に位置する状態でドア４５が開かれれば、ドローア３をキャビネット２から引き出しにくい問題が発生し得る。すなわち、キャビネット２の内部でドア４５が開かれれば、ドローア３がキャビネット２から引き出されるときにドア４５がキャビネットの出入口２１と干渉するため、ドローア３が引き出されることができない問題が発生し得る。
【００６２】
このような問題を解決するために、衣類処理装置１００には、ドローアがキャビネットから引き出されるときにドアが出入口と干渉することを防止するガイド９５をさらに含むことができる。
【００６３】
図４に示したように、ガイド９５はキャビネット２の内部に回転可能に備えられる少なくとも一つのホイール９５を含むことができる。この場合、ドローアの上面からホイールの最下端までの距離Ｈ２はドローアの上面から出入口２１までの距離Ｈ１より短く設定されることが好ましい。
【００６４】
ホイール９５はキャビネット２に直接回転可能に固定されることもでき、キャビネット２の内部に固定され、ドアの上部に位置するベース９４に固定されることもできる。すなわち、ホイール９５は軸９５３を介してベース９４に回転可能に固定されることもできる。
【００６５】
出入口２１が開放面２１１とフランジ２１３を含む場合、ガイド９５は、ドローア３がキャビネット２から引き出されるときにドア４５がフランジ２１３と干渉することを防止するように構成されなければならない。この場合、ドローアカバー３５からホイールの最下端までの距離Ｈ２はドローアカバー３５からフランジ２１３までの距離より短く設定されることが好ましい。
【００６６】
また、ドローア３の上面からホイール９５の最下端までの距離は固定部に備えられた第１締結部４７１を第２締結部４７３に結合可能な長さに設定されることもできる。ドローア３がキャビネット２から引き出されるかキャビネットに挿入される度にガイド９５によってドア４５がタブカバー４３に固定されるようにすることにより、ドア４５によってドローア３がキャビネット２から引き出されることができない問題が発生しないようにするためである。
【００６７】
ホイール９５は、ドローア３の引き出し方向に互いに所定距離だけ離隔して備えられる第１ホイール及び第２ホイールを含むことができる（図２参照）。ドローアの上面から各ホイールの最下端までの距離は互いに同一に設定されることもでき、互いに違って設定されることもできる。後者の場合、出入口２１に近い位置に備えられたホイールの最下端とドローア３の上面の間の距離は他のホイールの最下端とドローア３の上面の間の距離より短く設定されることが好ましい。
【００６８】
ドア４５がキャビネット２の内部で投入口４３１を開放したかを判断する位置感知部（ドア感知部）をさらに含むことができる。
【００６９】
第１位置感知部９７は、キャビネット２とドア４５のいずれか一方に備えられ、磁力を発生させる第１磁力発生部９７７、及びキャビネットとドアの他方に備えられ、第１磁力発生部９７７が提供する磁力を感知する第１磁力感知部９７５を含むことができる。
【００７０】
図４は第１磁力発生部９７７がドア４５に固定された永久磁石でなり、第１磁力感知部９７５がベース９４に固定されて永久磁石の磁力の大きさを感知するセンサーでなる場合を一例として示すものである。
【００７１】
第１磁力感知部９７５が感知した第１磁力発生部９７７の磁力（ｍａｇｎｅｔｉｃ  ｆｏｒｃｅ）の大きさが既設定の基準磁力（第１基準磁力）未満であれば、制御部はドローア３がキャビネット２の内部に位置する状態であるだけでなくドア４５が投入口４３１を閉鎖した状態であると判断する。
【００７２】
しかし、第１磁力感知部９７５が感知した第１磁力発生部９７７の磁力の大きさが第１基準磁力以上であれば、制御部はキャビネット２の内部に位置するドア４５が投入口４３１を開放したと判断する。
【００７３】
キャビネット２の内部に位置するドア４５が投入口４３１を開放したと判断されれば、制御部は表示部３３１ｂなどによってドアがキャビネット２の内部で開放したことを使用者に通知することが好ましい。
【００７４】
第１磁力発生部９７７がドア４５に備えられれば、タブの振動時に第１磁力発生部９７７が一緒に振動することになるであろう。第１磁力発生部９７７が振動すれば、第１磁力発生部９７７と第１磁力感知部９７５の間の距離が変化するので、第１磁力感知部９７５で測定される磁力の大きさも変化するであろう。したがって、第１磁力発生部９７７がドア４５に備えられる場合、制御部はドアが投入口を閉鎖した状態にあるにもかかわらず、ドアが投入口を開放したと誤認する問題が発生し得る。
【００７５】
このような問題を解決するために、制御部は、第１磁力感知部９７５が測定した磁力が第１基準磁力以上であるかを判断し、測定された磁力が第１基準磁力以上である状態が既設定の基準時間以上に持続する場合にのみ投入口が開放したと判断することが好ましい。
【００７６】
すなわち、表示部３３１ｂは、第１磁力感知部９７５が測定した磁力が第１基準磁力以上である状態が基準時間以上に持続した場合にのみ文字信号又は記号を表示するか、音信号を発生させるか、あるいは光を発散するように構成されることが好ましい。
【００７７】
基準時間はドラムが１回転するのに必要な時間より長い時間に設定されることが好ましい。例えば、ドラムが３０ＲＰＭで回転するように設定された場合を想定する。ドラムが３０ＲＰＭで回転するように設定された場合、ドラムが１回転するのにかかる時間は２秒であり、ドラムの内部に衣類が均一に分散されなくてドラムが振動する場合、ドラムの振動はドラムが１回転する度にタブに伝達されるであろう。すなわち、ドラムの振動はドラムが１回転する時間（２秒）を周期でタブに伝達されるであろう。したがって、基準時間がドラムの振動がタブに伝達される周期（２秒）より長い時間に設定されれば、タブ又はドアの振動による磁力変化をドアの開放と誤認することを防止することが可能であろう。
【００７８】
ドアが投入口を閉鎖した状態にあるにもドアが投入口を開放したと誤認する問題は図５及び図６に示した形態の第１位置感知部によっても解決することもできる。
【００７９】
図５及び図６に示した第１位置感知部９７は、第１磁力感知部９７５と第１磁力発生部９７７の中でいずれもドア４５に備えられない。したがって、タブ３又はドア４５が振動しても第１磁力感知部９７５で測定される第１磁力発生部９７７の磁力は比較的一定に維持されることができる。
【００８０】
図５の第１位置感知部９７は、ベース９４に備えられて磁力を感知する第１磁力感知部９７５、ドア４５が投入口４３１を開放すれば、第１磁力感知部９７５に向かって回転するボディー９７１、及びボディー９７１に固定される第１磁力発生部９７７を含むことができる。
【００８１】
ボディー９７１はベース９４からドア４５に向かって伸び、ボディー回転軸９７２を介してベース９４に回転可能に固定される。また、第１位置感知部は、ボディー９７１からドア４５に向かって突出し、ドア４５が投入口４３１を開放するときにドア４５に接触する接触部９７３をさらに含むこともできる。
【００８２】
ドローア３がキャビネット２に挿入された状態でドア４５が投入口４３１を開放すれば、ボディー９７１はドア４５によって第１磁力感知部９７５に向かって移動するので、第１磁力感知部９７５で感知される第１磁力発生部９７７の磁力は増加するであろう。
【００８３】
したがって、第１磁力感知部９７５が感知した第１磁力発生部９７７の磁力の大きさが第１基準磁力以上であれば、制御部はドア４５が投入口４３１を開放した状態であると判断することができる。ドアが投入口を開放したと判断すれば、制御部は表示部３３１ｂを介してこれを使用者に通知することができる。上述した過程によってドアが投入口を開放した状態であることを使用者に通知することができる。
【００８４】
図５の第１位置感知部９７は、第１磁力感知部９７５と第１磁力発生部９７７が共にベース９４に固定されているため、タブ又はドアが振動してもドア４５が投入口４３１を開放したと誤認する可能性は低いが、キャビネット２が振動する場合にはドア４５が投入口４３１を開放したと誤認するおそれがある。
【００８５】
このような問題を防止するために、制御部は第１磁力感知部９７５が測定した磁力が第１基準磁力以上の状態であることを判断し、測定された磁力が第１基準磁力以上である状態が基準時間以上に持続する場合にのみ投入口が開放したと判断することが好ましい。
【００８６】
すなわち、表示部３３１ｂは第１磁力感知部９７５が測定した磁力が第１基準磁力以上である状態が基準時間以上に持続した場合にのみ文字信号又は記号を表示するか、音信号を発生させるか、あるいは光を発散するように構成されることが好ましい。基準時間はドラムの振動がタブに伝達される周期より長い時間に設定されることが好ましい。
【００８７】
図５の第１位置感知部９７は、衣類処理装置１００の振動又はその他の原因によって第１磁力発生部９７７がボディー９７１から分離される場合、第１磁力発生部９７７がボディーから分離されたかも判断することができない欠点がある。
【００８８】
図６の第１位置感知部９７は図５の第１位置感知部の問題を解決することができることが特徴であり、第１位置感知部９７はドア４５の上部に位置するベースに固定された第１磁力感知部９７５、ドア４５が投入口４３１を開放すれば、第１磁力感知部９７５から遠くなる方向に回転するボディー９７１、及びボディー９７１に固定される第１磁力発生部９７７を含むことができる。
【００８９】
ボディー９７１はベース９４から第１磁力感知部９７５に向かって伸びる。ボディー９７１はボディー回転軸（図示せず）を介してベース９４に回転可能に固定されることができる。ただ、ボディー９７１がゴムのような弾性素材でなれば、ボディー９７１はボディー固定部９７６を介してベース９４に固定されるように構成されることもできる。
【００９０】
ボディー９７１は、ドア４５に向かって突出し、ドア４５が投入口４３１を開放したときにドア４５に接触する接触部９７３をさらに含むことができる。
【００９１】
ボディー９７１がドローア３又はドア４５に向かって回転することを防止するために、ベース９４は、ボディー９７１がドア４５に向かって回転することを防止するボディー支持部９４１をさらに含むことができる。ボディー支持部９４１はボディー９７１を直接支持するように構成されることもでき、ボディーに備えられた突出部９７４を支持するように構成されることもできる。
【００９２】
この実施例の場合、第１磁力感知部９７５が測定する第１磁力発生部９７７の磁力はドア４５が投入口を閉鎖した状態にあるときに最大になり、ドア４５が投入口４３１を開放したときに最小になる。したがって、制御部は、第１磁力感知部９７５が感知した磁力の大きさが第１基準磁力未満であれば、ドア４５が投入口４３１を開放したと判断する。
【００９３】
ドアが投入口を開放したと判断すれば、制御部は表示部３３１ｂによってこれを使用者に通知することができるので、この実施例はドアが投入口を開放した状態であるかを使用者に通知することができる。
【００９４】
同様に、制御部は、第１磁力感知部９７５が測定した磁力が第１基準磁力より小さい状態であるかを判断し、測定された磁力が第１基準磁力より小さい状態が基準時間以上に持続する場合にのみ投入口が開放したと判断することができる。
【００９５】
この場合、表示部３３１ｂは、第１磁力感知部９７５が測定した磁力が第１基準磁力より小さい状態が基準時間以上に持続した場合にのみ文字信号又は記号を表示するか、音信号を発生させるか、あるいは光を発散するようになる。基準時間はドラムの振動がタブに伝達される周期より長い時間に設定されることが好ましい。
【００９６】
一方、ドローアがキャビネット２から引き出された状態で第１磁力感知部９７５が第１磁力発生部９７７の磁力を感知することができなければ、制御部（図示せず）は第１磁力発生部９７７がボディー９７１から分離されたと判断することができ、これを表示部を介して使用者に通知することができる。
【００９７】
上述した第１感知部に加え、本発明は、ドローア３がキャビネット２の内部に挿入されたかを判断する第２位置感知部９９をさらに含むことができる。第２位置感知部９９はドローアが既設定の基準位置に位置する状態であるかを判断する手段であり、基準位置はドローアパネルが出入口を閉鎖する位置が一例となることができる。
【００９８】
第２位置感知部９９は、ドローア３とキャビネット２の一方に備えられ、磁力を発生させる第２磁力発生部９９３、及びドローア３とキャビネット２の他方に備えられ、第２磁力発生部９９３が提供する磁力の大きさを感知する第２磁力感知部９９１を含むことができる。
【００９９】
第２磁力感知部９９１及び第２磁力発生部９９３はドローアパネル３３が出入口２１を閉鎖したかを判断することができる位置にそれぞれ備えられることが好ましい。図４〜図６は第２磁力発生部９９３がドローアカバー３５の前方に固定された永久磁石でなり、第２磁力感知部９９１がベース９４に固定され、永久磁石の磁力の大きさを感知するセンサーでなる場合を一例として示すものである。
【０１００】
ドローア３がキャビネット２に全く挿入されていない状態で作動すれば、ドラム５の回転時に発生する振動によってドローア３がキャビネット２から引き出される問題が発生し得る。
【０１０１】
このような問題を防止するために、制御部（図示せず）は、第２磁力感知部９９が感知した磁力の大きさが既設定の基準磁力（第２基準磁力）より小さければ、表示部によってこれを使用者に通知（文字信号、記号、音信号、ランプ発光など）することができる。
【図１】
2019162543.tif 000003
【図２】
2019162543.tif 000004
【図３】
2019162543.tif 000005
【図４】
2019162543.tif 000006
【図５】
2019162543.tif 000007
【図６】
2019162543.tif 000008
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
衣類処理装置の外観を形成するキャビネットと、
前記キャビネットの内部に備えられ、水を収容するよう構成されたタブと、
前記タブの上側面を貫通するように開口の下側に備えられた投入口と、
前記タブの内部に回転可能に備えられ、前記投入口に供給される衣類を収容するドラムと、
前記投入口を開閉するよう構成されたドアと、
前記ドアが前記投入口を開けているかどうかを感知するよう構成されたドア感知部と、
を含み、
前記ドア感知部は、前記ドアの上側面と対向する前記キャビネットの１つの面上に備えられる、衣類処理装置。
【請求項２】
前記キャビネットは、前面に出入口を含み、
前記衣類処理装置は、前記出入口を通じて前記キャビネットから引出し可能なドローアを更に含み、
前記タブは、前記ドローア内に収容されるように備えられる、請求項１に記載の衣類処理装置。
【請求項３】
前記タブは、幅より短い高さを備え、
前記ドアは、前記投入口を開閉するように前記投入口の外周面と接触する、請求項１に記載の衣類処理装置。
【請求項４】
前記タブは、幅より短い高さを備え、
前記ドアは、前記投入口を開閉するように前記タブの上側面に結合される、請求項１に記載の衣類処理装置。
【請求項５】
前記ドア感知部は、前記キャビネットの前記１つの面上に備えられたセンサーを含み、
前記ドアは、前記センサーの励起を引き起こすよう備えられた発生部を含む、請求項１に記載の衣類処理装置。
【請求項６】
前記ドア感知部は、
前記ドアの前記上側面に対向する前記キャビネットの前記１つの面上に備えられたセンサーと、
前記センサーから間隔を空けて、前記キャビネットの前記１つの面上に備えられた発生部と、を含み、
前記発生部は、前記ドアが前記投入口を開けるとき、前記センサーの励起を引き起こすよう構成される、請求項１に記載の衣類処理装置。
【請求項７】
前記ドア感知部は、
前記キャビネットの前記１つの面上に備えられ、前記センサーが設置されるよう備えられたベースと、
前記センサーに向かい又は離れて回転するように前記ベースに結合され、前記発生部が設置されるよう備えられたボディーと、を含み、
前記ボディーは、前記ドアが前記投入口を開けるとき、前記ドアに接触可能に備えられる、請求項６に記載の衣類処理装置。